(57)【要約】      （修正有）【課題】ネックシールのあるダイビングスーツの着脱を安全で容易にすることができるダイビングスーツ着脱用補助用品を提供する。【解決手段】伸縮性と滑るような表面の両方を兼ね備えたスパンデックス生地の中厚を、平置きで幅２２〜２３ｃｍ、長さ２８〜３０ｃｍの円筒状に縫製し、ダイビングスーツ着脱用補助用品とする。ダイビングスーツ着用時は、この補助用品で額から上・耳・髪の毛（頭髪）を全て覆い、余った部分を頭部の後ろ側へ倒す。この状態でダイビングスーツのネックシールを頭に通す。【選択図】図１
0003209399.tif 000002
【実用新案登録請求の範囲】
【請求項１】
伸縮性と滑るような表面の両方を兼ね備えたスパンデックス生地の中厚を平置きで幅２２〜２３ｃｍ長さ２８〜３０ｃｍの円筒状に縫製したことを特徴とするダイビングスーツ着脱用補助用品。
【請求項２】
前記のスパンデックス生地に、ＵＶカット加工したことを特徴とする請求項１に記載のダイビングスーツ着脱用補助用品。
【考案の詳細な説明】
【技術分野】
【０００１】ダイビングスーツの種類の中には、ネックシール（気密部分）というダイビングスーツの中に海水などが入らないようにダイビングスーツを着用する人それぞれの首の太さに合わせた、ネオプレンやラテックス生地で作られた襟があるタイプのものがある。ネックシールのあるダイビングスーツは、ネックシールを頭に通して着脱するがとても窮屈でコツや力が必要となる。本考案はネックシールがあるダイビングスーツの着脱を容易にする補助用品に関する。
【背景技術】
【０００２】ネックシールがあるダイビングスーツを着脱する際には、ネックシールによる顔や頭部への擦れによる不快感や痛み、髪の毛（頭髪）の巻込みによる抜け毛や切れ毛と共に痛みを伴っていた。これを解消するものはないので、不快感や痛みを解消する為にビニール袋や巾着袋を頭にかぶっている者もいた。しかし、ビニール袋や巾着袋は、呼吸ができなくなる危険性や視界を遮る危険性があるという問題があった。【０００３】そこで、ターバンやヘアバンドのような形状であれば、呼吸ができなくなる危険性や視界を遮る危険性がなくなり、更にネックシールがあるダイビングスーツを着脱する際に伴う不快感や痛みを軽減することが可能である。
【考案の概要】
【考案が解決しようとする課題】
【０００４】ダイビングによって、顔・頭・髪の毛（頭髪）は海水などによって濡れてしまい、本考案であるダイビングスーツ着脱用補助用品は濡れた部分を覆って使用する為、補助用品そのものも濡れてしまう。従って、補助用品が水分を含んでも皮膚や髪の毛（頭髪）が痛みを伴わず、尚且つ丈夫な生地が望ましい。【０００５】本考案は、不快感や痛みを感じることなく、尚且つ安全にネックシールのあるダイビングスーツの着脱ができる補助用品を提供することを目的としている。
【課題を解決するための手段】
【０００６】本考案は、伸縮性と滑るような表面の両方を兼ね備えたスパンデックス生地の中厚を平置きで幅２２〜２３ｃｍ長さ２８〜３０ｃｍの円筒状に縫製したことと、更にスパンデックス生地にＵＶカット加工したことを特徴とするダイビングスーツ着脱用補助用品に関する。
【考案の効果】
【０００７】スパンデックス生地を用いることで、ネックシールによる摩擦が軽減され、不快感や痛みを感じることなくスムーズにネックシールがあるダイビングスーツを着脱できる。【０００８】また、前述の構成により、頭の大きさ・髪の毛（頭髪）の長さに関係なく使用することができる。つまり、性別・体格によっての使用の制限をなくすことができる。【０００９】さらに、ネックシールがあるダイビングスーツの着脱の際に起こる、擦れによる顔や頭部の不快感・痛み、また髪の毛（頭髪）の巻込みを防ぐことができる。【００１０】スパンデックス生地そのものにＵＶカット加工を施しているダイビングスーツ着脱用補助用品の場合は、ダイビングスーツ着脱時以外に海辺にいる時などその補助用品を頭からかぶることで首の日焼け防止対策また、頭に着用しておくことで頭皮や髪の毛（頭髪）の日焼け対策としても用いることができることを特徴とする。
【図面の簡単な説明】
【００１１】
【図１】本考案の実施形態に係るダイビングスーツ着脱用補助用品の全体図
【図２】ダイビングスーツを着脱する際に本考案の補助用品を頭に着用した状態を示す図
【図３】ダイビングスーツを脱ぐ際に本考案の補助用品を頭に着用した状態を正面から示す図
【図４】ダイビングスーツを脱ぐ際に本考案の補助用品を外す状態を左側面から示す図
【考案を実施するための形態】
【００１２】本考案の実施の形態は、長さが異なる試作品を作りテストをした結果、平置きで、幅２２〜２３ｃｍ・長さ２８〜３０ｃｍの円筒状に縫製することとする。
【００１３】なお、素材についても厚さの異なる試作品を作りテストをした結果、水着やラッシュガードに用いられるスパンデックス生地の中厚を使用することとする。
【実施例】
【００１４】前述のように、水分を含んでも丈夫で機能が衰えない特徴を持ち、水着やラッシュガードに用いられるスパンデックス生地を使用する。【００１５】一般的に伸縮する生地の場合、生地の厚みは薄厚・中厚・極厚とあるが、それぞれで試作品を作りテストをした結果、薄厚は、ネックシールに絡んでしまったり、引っ張る力に対して弱く丈夫さに欠けていた。極厚は、ネックシールの滑りを悪くし、窮屈感を増してしまった。中厚は、適度なしなやかさと丈夫さで一番扱いやすく、ネックシールを楽に着脱することができた為、スパンデックス生地の厚みは中厚を使用することとする。【００１６】以下、添付図面に従って実施例を説明する。【００１７】ダイビングスーツ着脱用補助用品１（図１に示す）を円筒状に縫製した形状に関して、長さが１５〜１８ｃｍの物・２３〜２５ｃｍの物・２８〜３０ｃｍの物で試作品を作りテストをした結果、１５〜１８ｃｍの物は成人の頭部全体を覆うことができず、髪の毛（頭髪）が絡まりネックシール２（図３に示す）と一緒にずれてしまう。２３〜２５ｃｍの物は頭部全体を覆えるが、ネックシール２（図３に示す）の伸縮に負けてしまい最後まで頭部を覆えないことが多々あった。２８〜３０ｃｍの物は長すぎるくらいだが、ネックシール２（図３に示す）と一緒にずれてしまっても長さに余裕がある為、頭部が露出することが少なく何より、ダイビングスーツを脱ぐ際にネックシール２（図４に示す）ではなく本考案の補助用品１（図４に示す）を引き抜くとネックシール２（図４に示す）が一緒に引っ張られ脱ぐことができるという効果も得ることができた。この結果から円筒状の補助用品１の長さは図１に示すように２８〜３０ｃｍとした。次に円筒状の補助用品１の幅に関しては成人の頭囲の平均５４〜５６ｃｍを基準に考え、伸縮性のあるスパンデックス生地で頭髪をしっかり押さえられるよう、円筒状の補助用品１の幅は図１に示すように平置きで２２〜２３ｃｍとする。【００１８】前述の試作品テストの結果から補助用品１の形態は、スパンデックス生地の中厚を図１に示すように平置きで幅２２〜２３ｃｍ・長さ２８〜３０ｃｍの円筒状に縫製することとする。【００１９】ダイビングスーツ着用時は、図２のように本考案の補助用品１で額から上・耳・髪の毛（頭髪）を全て覆い、補助用品１の余った部分を頭部の後ろ側へ倒す。この状態でダイビングスーツのネックシールを頭に通す。但し、顔の摩擦を軽減させたい場合は、首から上を覆うようにすっぽりとかぶった状態にしてネックシールを頭に通す。ネックシールを内側へ折り込むタイプの場合は、折り込む作業をしてから本考案の補助用品１を顔の前方向に引っ張りながら外す。そうすることで髪の毛（頭髪）の巻込みが解消される。【００２０】ダイビングスーツを脱ぐ場合は、着用時と同様、図２のように本考案の補助用品１を身に着ける。この状態からダイビングスーツのネックシール２を折り込むタイプの場合は、ネックシール２を外側へ折り返す。折り返したネックシール２を広げながら図３のように本考案の補助用品１をネックシール２の内側へ入れ込みながら鼻の高さ辺りまで引き上げる。そのあと図４のように、本考案の補助用品１を顔の前方向に引っ張りながら外す。こうすることで、本考案の補助用品１と一緒にダイビングスーツのネックシール２も一緒に脱ぐことができる。
【符号の説明】
【００２１】１  ダイビングスーツ着脱用補助用品
２  ネックシール
【図１】
0003209399.tif 000003
【図２】
0003209399.tif 000004
【図３】
0003209399.tif 000005
【図４】
0003209399.tif 000006